(57)【要約】【課題】使用者が、換気装置が連動しない送信データフォーマットを選択した場合、選択した送信データフォーマットが有効かまたは無効かを見た目で判断しやすくすること。【解決手段】送信データフォーマットを記憶する記憶部１０は、複数のフォーマットの中から１つを選択する入力部１４で選択される前の送信データフォーマットと入力部１４で選択された送信データフォーマットを記憶し、外部機器に命令を送信する送信部５は入力部１４で選択される前の送信データフォーマットで構成されたオフ命令を送信した後に、入力部１４で選択された送信データフォーマットで構成されたオン命令を送信すること。【選択図】図１
2012251681.tif 000002
【特許請求の範囲】
【請求項１】
本体上面に設けられ被加熱体を加熱する加熱部と、外部機器を制御する同一制御命令を構成する送信データフォーマットを複数の記憶する記憶部と、前記外部機器に前記命令を送信する送信部と、前記複数のフォーマットの中から１つを選択する入力部と、を備え、前記記憶部は前記入力部で選択される前の前記送信データフォーマットと前記入力部で選択された前記送信データフォーマットを記憶し、前記送信部は前記入力部で選択される前の送信データフォーマットで構成されたオフ命令を送信した後に、前記入力部で選択された送信データフォーマットで構成されたオン命令を送信する加熱調理器。
【請求項２】
送信部は外部機器に入力部で選択される前の送信データフォーマットで構成されたオフ命令を送信した後に、前記入力部で選択された送信データフォーマットで構成されたオン命令を送信している間は前記入力部からの入力を無効とする請求項１に記載の加熱調理器。
【請求項３】
入力部からの入力が無効となっている間、使用者に入力が無効であることを表示する表示部を更に有する請求項２に記載の加熱調理器。
【請求項４】
入力部からの入力が無効となっている間、使用者に入力が無効である音声を出力する音声出力部を更に有する請求項２または３に記載の加熱調理器。
【発明の詳細な説明】
【技術分野】
【０００１】
本発明は、加熱調理器及びそれを含む連動システムに関するものである。
【背景技術】
【０００２】
従来、この種の加熱調理器は、一般家庭において、加熱調理器を操作すると、換気扇や加熱調理器等の他の装置がそれに連動して動作する連動システムが普及しつつある（例えば、特許文献１参照）。
【０００３】
図３は、特許文献１に記載された従来の加熱調理器における加熱調理器と周辺機器とを含む連動システムを示すブロック図である。
【０００４】
図３において、加熱調理器２１と外部の機器である換気扇２２とで連動システムを構成している。加熱調理器２１は、トッププレート２４、送信部２５、加熱部２６、制御部２７、操作部２８を有している。
【０００５】
加熱調理器２１は、トッププレート２４上に置いた鍋２３を誘導加熱する。換気扇２２は、受信部３１、駆動部（ファン）３２、換気扇制御部３７を有している。
【０００６】
明細書及び特許請求の範囲において、「外部の機器」とは、加熱調理器２１と別個の筐体に収納された機器を意味する。
【０００７】
トッププレート２４は、その上部に被加熱体である鍋２３を載置するために設けられており、材質は耐熱強化ガラスで構成している。トッププレート２４の上面には、鍋２３の載置位置を示す表示がプリントされている。
【０００８】
操作部２８は入力部３４と表示部３３とを有している。入力部３４は、ユーザが加熱を開始あるいは停止する入力スイッチ、火力の強度等を制御するための入力スイッチ等を含んでいる。
【０００９】
表示部３３は、加熱部２６が動作しているか否かを表示する可視ＬＥＤ（発光ダイオード）を備え、動作している火力の強度等を表示する複数の可視ＬＥＤを含む。
【００１０】
制御部２７は、加熱部２６の状態命令（例えば鍋温度の情報、誘導加熱コイルを流れる電流値等）及びユーザが操作部２８に入力した入力命令を受けて、加熱部２６に加熱開始、加熱停止、加熱強度レベルの設定等の命令を出力する。
【００１１】
加熱部２６は、高周波電流制御部と誘導加熱コイルと、を備える。高周波電流制御部は、制御部２７からの命令に応じて、誘導加熱コイルに高周波電流を流す。誘導加熱コイルは、被加熱体である鍋２３を誘導加熱する。これにより、鍋２３内の被調理物を調理することができる。
【００１２】
制御部２７は、現在の加熱部２６の状態に応じた制御命令を送信するよう、送信部２５に送信命令を出力する。送信部２５は、赤外線方式の制御命令を出力する。送信部２５は、換気扇２２の受信部３１に対して、換気扇２２を制御する制御命令を送信する。記憶部３０は、送信部２５が出力する制御命令を記憶する。
【００１３】
換気扇２２は、加熱調理器と連動して動作する周辺機器である。周辺機器は、加熱調理
器２１の動作と関連して動作する任意の装置であれば良く、例えば、換気扇、照明器具、エアコン、給湯器等である。
【００１４】
換気扇２２は、受信部３１、換気扇制御部３７、駆動部（ファン）３２を有する。受信部３１は、加熱調理器２１の送信部２５が送信した制御命令を受信する。換気扇制御部３７は、受信部３１が受信した制御命令に応じて駆動部（ファン）３２を駆動制御する。
【００１５】
このような構造を有することで、加熱調理器の状態に応じて、換気扇等の周辺機器を効率良く制御することが可能となる。例えば、加熱調理器が動作中の場合は、換気扇の電源をオンし、換気を行う。
【００１６】
さらに、加熱調理器が停止中の場合は、換気扇の電源をオフにして、換気を行わない。また、加熱調理器の火力強度が大きい場合は、換気扇の風力を強くし、より早く換気が行われるようにする。
【００１７】
ユーザが加熱調理器のＯＮスイッチを押して加熱部２６を動作させると同時に換気扇が回りだし、調理中に発生する煙を屋外に排出する。ユーザが加熱調理器のＯＦＦスイッチを押して加熱部を停止させると同時に換気扇が止まり、換気扇が無駄な電力を消費することや、冬季に温かい室内空気が屋外に無駄に排出されて室温が低下することを防止する。
【００１８】
また、設定変更機能を有するリモコン装置が開示されている（例えば、特許文献２参照）。
【００１９】
図４は、特許文献２に記載された従来のリモコン装置のブロック図であり、設定変更機能を有している。
【００２０】
図４において、設定変更装置１５０、電気装置１５８でシステムを構成している。設定変更装置１５０は、入力部１５１と、制御部１５２と、選択手段１５３と、表示部１５４と、送信部１５５と、送信データ記憶部１５６を有している。
【００２１】
入力部１５１は、対応する電気装置の動作を制御するための入力スイッチである。
【００２２】
選択手段１５３は、ユーザが複数のモードのうちいずれかを選択するための入力スイッチである。
【００２３】
表示部１５４は、現在選択されているモードや現在の対応する電気装置の情報をユーザに知らしめるために、文字や記号等を出力する画面である。
【００２４】
送信データ記憶部１５６は、複数の異なる電気装置や異なるメーカの電気装置が認識可能な命令形式に準拠した制御命令を各々記憶する。
【００２５】
制御部１５２は、現在、選択手段１５３によって選択されているモードや、入力部１５１によって入力されたスイッチに応じて、送信データ記憶部１５６から適切な送信データを決定し、送信部１５５に送信命令を出力する。送信部１５５は、電気装置１５８を制御する制御命令を送信する。
【００２６】
電気装置１５８は、受信部１５７を有している。電気装置１５８の受信部１５７は、設定変更装置１５０の送信部１５５が送信した制御命令を受信し、電気装置１５８は制御命令に応じた動作を行う。
【００２７】
例えば、選択手段１５３によって、Ｒ社製ビデオデッキが選択された場合、表示部１５４には、現在Ｒ社製ビデオデッキの操作が可能であることを通知するメッセージが表示される。
【００２８】
入力部１５１の所定のスイッチを押すと、制御部１５２は送信データ記憶部１５６からＲ社製ビデオデッキが認識可能な送信データを選び、入力されたスイッチに応じて送信部１５５から制御命令（例えば再生命令）を送信する。
【００２９】
Ｒ社製ビデオデッキの受信部１５７は、設定変更装置１５０の送信部１５５から出力された制御命令を受信し、Ｒ社製ビデオデッキは制御命令に応じて動作する。
【００３０】
このような構造を有することで、最小限のスイッチ数で多種の異なる電気装置に対して動作制御を行うことができる。
【００３１】
さらに、複数の送信データフォーマットのなかから１つの送信データフォーマットを選択すると、選択された送信データフォーマットで制御命令が入力され、且つ送信部で外部機器に選択された送信データフォーマットで制御命令を送信するものである。
【００３２】
また、加熱調理器において、加熱状態に応じて換気扇と加熱調理器を連動制御させて、汚れの付着に対して確実に動作させるようにしたものもある（例えば、特許文献３参照）。
【先行技術文献】
【特許文献】
【００３３】
【特許文献１】特開２００５−１９７１８５号公報
【特許文献２】特開平９−３０７９６８号公報
【特許文献３】特開２００３−２２９２４０号公報
【発明の概要】
【発明が解決しようとする課題】
【００３４】
しかしながら、前記従来の構成では、例えば、送信データフォーマットＡを使用者が選択した際に、選択された送信データフォーマットＡでオン命令を送信するが、その時、換気装置はオン命令を受け付けたままなので、換気装置が動作したままとなる。
【００３５】
次に、換気装置が連動を行うことが不可能な送信データフォーマットＢを使用者が間違えて選択した場合、換気装置は送信データフォーマットＡのオン命令を受け付けたままなので、動作状態にあるが、加熱調理器は選択された送信データフォーマットＢで各命令を送信するので換気装置が連動せず使用者が連動しないと感じるという課題を有していた。
【００３６】
本発明は、前記従来の課題を解決するもので、選択される前の前記送信データフォーマットと選択された送信データフォーマットを記憶し、選択される前の送信データフォーマットで構成されたオフ命令を送信した後に、選択された送信データフォーマットで構成されたオン命令を送信することで使い勝手が向上する加熱調理器を提供することを目的とする。
【課題を解決するための手段】
【００３７】
前記従来の課題を解決するために、本発明の加熱調理器は、記憶部で入力部から選択される前の送信データフォーマットと入力部から選択された送信データフォーマットを記憶し、送信部で入力部から選択される前の送信データフォーマットで構成されたオフ命令を送信した後に、入力部から選択された送信データフォーマットで構成されたオン命令を送
信する構成としたものである。
【００３８】
これにより、使用者が、換気装置が連動しない送信データフォーマットを選択した場合には、選択される前の送信データフォーマットで換気装置がオフされるので、選択した送信データフォーマットが有効かまたは無効かを見た目で判断しやすくなり、使用者に使い勝手の向上を提供することができる。
【発明の効果】
【００３９】
以上のように本発明の加熱調理器は、使用者が、換気装置が連動しない送信データフォーマットを選択した場合には、選択される前の送信データフォーマットで換気装置がオフされるので、選択した送信データフォーマットが有効かまたは無効かを見た目で判断しやすくなり、使用者に使い勝手の向上を提供することができる。
【図面の簡単な説明】
【００４０】
【図１】本発明の実施の形態１における加熱調理器の構成を示すブロック図
【図２】本発明の実施の形態１における加熱調理器の表示部を示す図
【図３】従来の加熱調理器における加熱調理器と周辺機器とを含む連動システムを示すブロック図
【図４】従来のリモコン装置のブロック図
【発明を実施するための形態】
【００４１】
第１の発明は、本体上面に設けられ被加熱体を加熱する加熱部と、外部機器を制御する同一制御命令を構成する送信データフォーマットを複数の記憶する記憶部と、前記外部機器に前記命令を送信する送信部と、前記複数のフォーマットの中から１つを選択する入力部と、を備え、前記記憶部は前記入力部で選択される前の前記送信データフォーマットと前記入力部で選択された前記送信データフォーマットを記憶し、前記送信部は前記入力部で選択される前の送信データフォーマットで構成されたオフ命令を送信した後に、前記入力部で選択された送信データフォーマットで構成されたオン命令を送信するものである。
【００４２】
これにより、使用者が、換気装置が連動しない送信データフォーマットを選択した場合には、選択される前の送信データフォーマットで換気装置がオフされるので、選択した送信データフォーマットが有効かまたは無効かを見た目で判断しやすくなり、使い勝手の向上を図ることが可能になる。
【００４３】
第２の発明は、特に、第１の発明において、送信部は外部機器に入力部で選択される前の送信データフォーマットで構成されたオフ命令を送信した後に、前記入力部で選択された送信データフォーマットで構成されたオン命令を送信している間は前記入力部からの入力を無効とするものである。
【００４４】
これにより、使用者が前記入力部から連続で入力を行った場合に、前記入力部で選択された送信データフォーマットで構成された前記オン命令が直後の同一送信フォーマットのオフ命令で換気装置がオフする。これにより、使用者が前記入力部から入力したにもかかわらず換気装置が連動せず、連動しないと感じることなく使い勝手の向上を図ることが可能になる。
【００４５】
第３の発明は、特に、第２の発明において、入力部からの入力が無効となっている間、使用者に入力が無効であることを表示する表示部を有するものである。
【００４６】
これにより、使用者への入力部からの入力が無効であるという認識が高まり、使い勝手の向上を図ることが可能になる。
【００４７】
第４の発明は、特に、第２または第３の発明において、入力部からの入力が無効となっている間、使用者に入力が無効である音声を出力する音声出力部を更に有するものである。
【００４８】
これにより、使い勝手の向上を図ることが可能になる。
【００４９】
以下、本発明の実施の形態について、図面を参照しながら説明する。なお、この実施の形態によって本発明が限定されるものではない。
【００５０】
（実施の形態１）
図１は本発明の第１の実施の形態における加熱調理器の構成を示すブロック図であり、加熱調理器を含む連動システムの概略構成を示している。
【００５１】
図２は本発明の第１の実施の形態における加熱調理器の表示部を示す図である。
【００５２】
図１において、加熱調理器１と外部の機器である換気扇２とでシステムを構成している。加熱調理器１は、トッププレート４、送信部５、加熱部６、制御部７、操作部８を有しており、トッププレート４上に置いた鍋３を誘導加熱する。換気扇２は、受信部１１、ファン１２、換気扇制御部１７を有している。
【００５３】
明細書及び特許請求の範囲において、「外部の機器」とは、加熱調理器１と別個の筐体に収納された機器を意味する。
【００５４】
トッププレート４は、その上部に被加熱体である鍋３を載置するために設けられており、材質は耐熱強化ガラスで構成している。
【００５５】
加熱部６は、右バーナと、左バーナと、ロースタと、ラジェントとの４つの加熱コイルを有する。トッププレート４の上面には、鍋３の載置位置を示す表示がプリントされている。
【００５６】
操作部８は複数のスイッチによって、ユーザが制御命令を入力するための入力部１４とＬＥＤによって加熱調理器の状態を表示する表示部１３とを有している。
【００５７】
表示部１３は、加熱部６が動作しているか否かを表示する可視ＬＥＤ（発光ダイオード）を備え、動作している火力の強度等を表示する複数の可視ＬＥＤを有している。
【００５８】
音声出力部１８は、入力部からの入力が無効となっている間、使用者に入力が無効であることの音声を出力する。
【００５９】
制御部７は、加熱部６の状態命令（例えば、鍋温度の情報、誘導加熱コイルを流れる電流値等）及びユーザが操作部８に入力した入力命令を受けて、加熱部６に加熱開始、加熱停止、加熱強度レベルの設定等の命令を出力するとともに、記憶部１０のデータに基づいて送信部５に制御命令を出力する。
【００６０】
加熱部６は、４つの加熱コイル（図示しない）とそれぞれの高周波電流制御部（図示しない）とを備えている。右バーナと、左バーナは誘導加熱コイルであって、誘導加熱コイルに高周波電流を流すことによって被加熱体である鍋３を誘導加熱し、鍋３内の被調理物を加熱調理することができる。
【００６１】
ロースタおよびラジェントは通常の加熱コイルであって、加熱コイルに電流を流すことによって被加熱体を加熱する。
【００６２】
送信部５は、赤外線方式の伝送手段を有しており、換気扇２の受信部１１に対して、換気扇２を制御する制御命令を送信する。
【００６３】
記憶部１０は、不揮発性メモリであり、電源オフによって内容が消去されないものであり、換気扇２を含む複数の機器に送信する制御命令と、現在選択されている機器の情報とを記憶する。入力部１４で選択される前の送信データフォーマットと入力部１４で選択された送信データフォーマットを記憶している。
【００６４】
換気扇２は、受信部１１、換気扇制御部１７、ファン１２を有し、加熱調理器と連動して動作する周辺機器である。周辺機器は、加熱調理器１の動作と関連して動作する任意の装置であれば良く、例えば、換気扇、照明器具、エアコン、給湯器等である。
受信部１１は、加熱調理器１の送信部５が送信した制御命令を受信する。換気扇制御部１７は、受信部１１が受信した制御命令に応じてファン１２を駆動制御する。
【００６５】
以上のように構成された加熱調理器について、以下、その動作、作用を説明する。
【００６６】
本実施の形態においては、記憶部１０、送信部５、音声出力部１８の動作が従来の加熱器と異なる。従来の加熱調理器における加熱調理器と周辺機器とを含む連動システムの記憶部３０（図３）は１個の換気扇２に送信する制御命令のみを記憶し、送信部２５は入力部３４で選択された送信データフォーマットを送信部２５から送信していた。
【００６７】
本実施の形態における記憶部１０は入力部１４で選択される前の送信データフォーマットと入力部１４で選択された送信データフォーマットを記憶する。
【００６８】
そして、送信部５は入力部１４で選択される前の送信データフォーマットで構成されたオフ命令を送信した後に、入力部１４で選択された送信データフォーマットで構成されたオン命令を送信する。
【００６９】
音声出力部は、送信部がオフ命令を送信した後に入力部で選択された送信データフォーマットで構成されたオン命令を送信している間は、入力部からの入力を無効にしていることの音声（例えば０．１ｓのブザー音）を出力して使用者に報知する。
【００７０】
なお、音声出力時間は使用者が認識できる長さに設定するものとし、１秒以内なら何秒でもかまわないものとする。
【００７１】
制御部７は、加熱部６の状態命令（例えば鍋温度の情報、誘導加熱コイルを流れる電流値等）及びユーザが操作部８に入力した入力命令を受けると、加熱部６に加熱開始、加熱停止、加熱強度レベルの設定等の命令を出力する。
【００７２】
さらに、制御部７は、ユーザが入力部１４に入力した命令に応じて、送信部５に選択された機器である換気扇２の動作を制御する制御命令を出力する。
【００７３】
送信部５は、制御部７からの指令を受け、赤外線による制御命令を換気扇２の受信部１１に送信する。
【００７４】
また、送信部がオフ命令を送信した後に入力部で選択された送信データフォーマットで構成されたオン命令を送信している間は、制御部あるいは送信部により、入力部からの入
力を無効にすることにより、操作入力の無効を使用者に知らせることができる。
【００７５】
受信部１１は、加熱調理器１の送信部５が送信した赤外線の制御命令を受信する。換気扇制御部１７は、受信部１１が受信した制御命令に応じてファン１２を回転駆動制御することができる。
【００７６】
以上のように、本実施の形態においては記憶部１０を入力部１４で選択される前の送信データフォーマットと入力部１４で選択された送信データフォーマットを記憶する。
【００７７】
そして、送信部５は入力部１４で選択される前の送信データフォーマットで構成されたオフ命令を送信した後に、入力部１４で選択された送信データフォーマットで構成されたオン命令を送信することにより、使用者が、換気装置が連動しない送信データフォーマットを選択した場合には、選択される前の送信データフォーマットで換気扇２がオフされるので、選択した送信データフォーマットが有効かまたは無効かを見た目で判断しやすくなり、使用者に使い勝手の向上を提供することができる。
【００７８】
また、本実施の形態では送信部５は換気扇２に入力部１４で選択される前の送信データフォーマットＡで構成されたオフ命令を送信した後に、入力部１４で選択された送信データフォーマットＢで構成されたオン命令を送信している間は次の入力部１４からの入力を無効とし、入力部１４からの入力が無効となっている間、使用者に入力が無効であることを表示する表示部を更に有することにより、使用者への入力部１４からの入力が無効であるという認識が高まり、使い勝手の向上を図ることが可能になる。
【００７９】
図２において、換気扇２に使用者が入力部１４で選択した送信データフォーマットＡで構成されたオン命令を送信した直後に、使用者が入力部１４で連続入力を行った際に、送信データフォーマットＢを選択した場合、送信データフォーマットＡで構成されたオフ信号と送信データフォーマットＢで構成されたオン信号を送信している間は「−」を表示する。
【００８０】
また、換気扇２に使用者が入力部１４で選択した送信データフォーマットＢで構成されたオン命令を送信した直後に、使用者が入力部１４で連続入力を行った際に、送信データフォーマットＡを選択した場合も送信データフォーマットＢで構成されたオフ信号と送信データフォーマットＡで構成されたオン信号を送信している間は同様に「−」を表示する。
【００８１】
また、本実施の形態では送信部５は換気扇２に入力部１４で選択される前の送信データフォーマットで構成されたオフ命令を送信した後に、入力部１４で選択された送信データフォーマットで構成されたオン命令を送信している間は入力部１４からの入力を無効とし、入力部１４からの入力が無効となっている間、使用者に入力が無効である音声（例えば、０．１ｓのブザー音）を出力する音声出力部１８を更に有することにより、使用者への入力部１４からの入力が無効であるという認識が高まり、使い勝手の向上を図ることが可能になる。
【産業上の利用可能性】
【００８２】
以上のように、本発明にかかる加熱調理器は、使用者が、換気装置が連動しない送信データフォーマットを選択した場合には、選択される前の送信データフォーマットで換気装置がオフされるので、選択した送信データフォーマットが有効かまたは無効かを見た目で判断しやすくなり、使い勝手の向上を図ることが可能となるので、システムキッチン等の周辺機器連動型の加熱調理システムに有効である。
【符号の説明】
【００８３】
１、２１  加熱調理器
２、２２  換気扇
３、２３  鍋
４、２４  トッププレート
５、２５、１５５  送信部
６、２６  加熱部
７、２７、１５２  制御部
８、２８  操作部
１０、３０  記憶部
１１、３１、１５７  受信部
１２  ファン
１３、３３、１５４  表示部
１４、３４、１５１  入力部
１７、３７  換気扇制御部
１８  音声出力部
【図１】
2012251681.tif 000003
【図２】
2012251681.tif 000004
【図３】
2012251681.tif 000005
【図４】
2012251681.tif 000006